(57)【要約】【課題】消費者が本当に求めるジェネリック医薬品を中心とした医薬品情報を、効率よく、しかも高い精度で収集することが可能な医薬品情報収集装置、医薬品情報収集方法及びコンピュータプログラムを提供する。【解決手段】一の端末装置から購入した医薬品の少なくとも副作用に関する情報、効果に関する情報及び使用感に関する情報を含む医薬品情報をアンケート形式で取得する。取得した医薬品情報を、医薬品を識別する医薬品識別情報に対応付けて、他の端末装置から取得した医薬品情報とともに記憶する。医薬品識別情報をキー情報として、記憶されている医薬品情報の読み出し要求を受け付け、読み出し要求の発信元である端末装置へ医薬品識別情報に対応付けて記憶されている医薬品情報を抽出して送信する。【選択図】図３
2018206284.tif 000002
【特許請求の範囲】
【請求項１】
医療従事者が使用する複数の端末装置とデータ通信することが可能に接続されている、医薬品に関する医薬品情報を収集して提供する医薬品情報収集装置であって、
一の前記端末装置から購入した医薬品の少なくとも副作用に関する情報、効果に関する情報及び使用感に関する情報を含む医薬品情報をアンケート形式で取得する取得手段と、
取得した医薬品情報を、前記医薬品を識別する医薬品識別情報に対応付けて、他の前記端末装置から取得した医薬品情報とともに記憶する記憶手段と、
前記医薬品識別情報をキー情報として、記憶されている医薬品情報の読み出し要求を受け付ける読出受付手段と、
読み出し要求の発信元である前記端末装置へ前記医薬品識別情報に対応付けて記憶されている医薬品情報を抽出して送信する送信手段と
を備えることを特徴とする医薬品情報収集装置。
【請求項２】
前記医薬品情報は、ジェネリック医薬品に関する情報であることを特徴とする請求項１に記載の医薬品情報収集装置。
【請求項３】
前記取得手段は、医薬品の添付文書に記載されている副作用に関する情報を取得し、
前記送信手段は、読み出し要求を受け付けた前記端末装置へ、前記医薬品の添付文書に記載されている副作用に関する情報を、そのまま送信することを特徴とする請求項１又は２に記載の医薬品情報収集装置。
【請求項４】
前記端末装置から医薬品情報を取得した時点で、購入金額及び指定された交換率に基づいてポイントを算出するポイント算出手段と、
医薬品を購入した医療従事者が属する医療機関ごとに累計されたポイントを記憶するポイント記憶手段と
を備えることを特徴とする請求項１乃至３のいずれか一項に記載の医薬品情報収集装置。
【請求項５】
医療従事者が使用する複数の端末装置とデータ通信することが可能に接続されている、医薬品に関する医薬品情報を収集して提供する医薬品情報収集装置で実行することが可能な医薬品情報収集方法であって、
前記医薬品情報収集装置は、
一の前記端末装置から購入した医薬品の少なくとも副作用に関する情報、効果に関する情報及び使用感に関する情報を含む医薬品情報をアンケート形式で取得する工程と、
取得した医薬品情報を、前記医薬品を識別する医薬品識別情報に対応付けて、他の前記端末装置から取得した医薬品情報とともに記憶する工程と、
前記医薬品識別情報をキー情報として、記憶されている医薬品情報の読み出し要求を受け付ける工程と、
読み出し要求の発信元である前記端末装置へ前記医薬品識別情報に対応付けて記憶されている医薬品情報を抽出して送信する工程と
を含むことを特徴とする医薬品情報収集方法。
【請求項６】
前記医薬品情報は、ジェネリック医薬品に関する情報であることを特徴とする請求項５に記載の医薬品情報収集方法。
【請求項７】
前記医薬品情報収集装置は、
医薬品の添付文書に記載されている副作用に関する情報を取得し、
読み出し要求を受け付けた前記端末装置へ、前記医薬品の添付文書に記載されている副作用に関する情報を、そのまま送信することを特徴とする請求項５又は６に記載の医薬品情報収集方法。
【請求項８】
前記医薬品情報収集装置は、
前記端末装置から医薬品情報を取得した時点で、購入金額及び指定された交換率に基づいてポイントを算出する工程と、
医薬品を購入した医療従事者が属する医療機関ごとに累計されたポイントを記憶する工程と
を含むことを特徴とする請求項５乃至７のいずれか一項に記載の医薬品情報収集方法。
【請求項９】
医療従事者が使用する複数の端末装置とデータ通信することが可能に接続されている、医薬品に関する医薬品情報を収集して提供する医薬品情報収集装置で実行することが可能なコンピュータプログラムであって、
前記医薬品情報収集装置を、
一の前記端末装置から購入した医薬品の少なくとも副作用に関する情報、効果に関する情報及び使用感に関する情報を含む医薬品情報をアンケート形式で取得する取得手段、
取得した医薬品情報を、前記医薬品を識別する医薬品識別情報に対応付けて、他の前記端末装置から取得した医薬品情報とともに記憶する記憶手段、
前記医薬品識別情報をキー情報として、記憶されている医薬品情報の読み出し要求を受け付ける読出受付手段、及び
読み出し要求の発信元である前記端末装置へ前記医薬品識別情報に対応付けて記憶されている医薬品情報を抽出して送信する送信手段
として機能させることを特徴とするコンピュータプログラム。
【請求項１０】
前記医薬品情報は、ジェネリック医薬品に関する情報であることを特徴とする請求項９に記載のコンピュータプログラム。
【請求項１１】
前記取得手段を、医薬品の添付文書に記載されている副作用に関する情報を取得する手段として機能させ、
前記送信手段を、読み出し要求を受け付けた前記端末装置へ、前記医薬品の添付文書に記載されている副作用に関する情報を、そのまま送信する手段として機能させることを特徴とする請求項９又は１０に記載のコンピュータプログラム。
【請求項１２】
前記医薬品情報収集装置を、
前記端末装置から医薬品情報を取得した時点で、購入金額及び指定された交換率に基づいてポイントを算出するポイント算出手段、及び
医薬品を購入した医療従事者が属する医療機関ごとに累計されたポイントを記憶するポイント記憶手段
として機能させることを特徴とする請求項９乃至１１のいずれか一項に記載のコンピュータプログラム。
【発明の詳細な説明】
【技術分野】
【０００１】
本発明は、正しい情報が不足し、また伝わりにくい後発医薬品（以下、ジェネリック医薬品）を中心とした医薬品の市販後情報を、効率よく、しかも高い精度で収集することが可能な医薬品情報収集装置、医薬品情報収集方法及びコンピュータプログラムに関する。
【背景技術】
【０００２】
医薬品に関する医薬品情報、特にジェネリック医薬品に関する市販後情報を含む医薬品情報は、情報量が少ないうえ、正しい情報と誤った情報とが混在しており、消費者である患者や処方・調剤をする医師や薬剤師にとっては、価格を基準に選択するのか、安全度を基準に選択するのかを判断することが困難になっている。特に、信頼できるエビデンスレベルの高い市販後情報は、医薬品の選択に重要である。
【０００３】
斯かる状況であることから、ジェネリック医薬品に対する信頼感はいまだ十分とは言えない。しかし、厚生労働省がジェネリック医薬品の使用を促進しているように、ひっ迫した医療保険財政を緩和する意味でも、安全かつ安価なジェネリック医薬品を使用することは、重要な社会的意義がある。
【０００４】
一方、厚生労働省が主導するジェネリック医薬品使用促進策によって、ジェネリック医薬品の使用率は年々上昇し、２０１７年には発売されている医薬品のうち６０％以上がジェネリック医薬品となっている。しかし、国の目標とする８０％にははるか及ばない。
【０００５】
また、後発体制加算等の診療報酬上の経営的メリットがあるためにジェネリック医薬品を使用する医療機関も存在する。しかし、必ずしも信頼、安心して使用しているわけではない。その理由として、ジェネリック医薬品が先発医薬品と同等の効果を有することは認めるものの、やはり安全性、安定供給等に対する不安や、実際に使用している期間が短いこと、データ収集が不十分であることがあげられる。そこで、正しい情報を収集するために様々な工夫が試みられている。
【０００６】
例えば特許文献１では、薬剤情報提供サイトの訪問者に対してアンケートや人物属性データベースに基づいて薬剤選択に関する嗜好を特定して、嗜好に沿った薬剤情報番組を配信する医療・医薬関連情報の提供方法が開示されている。薬剤選択に関する嗜好に基づいて薬剤情報番組を配信することができ、アンケートにより薬剤情報を提供する形態についても検討することができる。
【先行技術文献】
【特許文献】
【０００７】
【特許文献１】特開２００６−２３６３９３号公報
【発明の概要】
【発明が解決しようとする課題】
【０００８】
特許文献１では、薬剤情報提供サイトの訪問者に対してアンケートや人物属性データベースに基づいて薬剤選択に関する嗜好を特定しているので、どの薬剤に人気があるか否か等については把握することができる。しかし、ジェネリック医薬品で問題になることが多い、医薬品の効果や副作用、使用感関する情報を収集することができず、消費者が本当に知りたい情報については収集することができないという問題点があった。また、ＯＴＣ医薬品についても精度の高い市販後情報は消費者にとって価値が高い。
【０００９】
本発明は斯かる事情に鑑みてなされたものであり、消費者が本当に求めるジェネリック医薬品を中心とした医薬品情報を、効率よく、しかも高い精度で収集することが可能な医薬品情報収集装置、医薬品情報収集方法及びコンピュータプログラムを提供することを目的とする。
【課題を解決するための手段】
【００１０】
上記目的を達成するために第１発明に係る医薬品情報収集装置は、医療従事者が使用する複数の端末装置とデータ通信することが可能に接続されている、医薬品に関する医薬品情報を収集して提供する医薬品情報収集装置であって、一の前記端末装置から購入した医薬品の少なくとも副作用に関する情報、効果に関する情報及び使用感に関する情報を含む医薬品情報をアンケート形式で取得する取得手段と、取得した医薬品情報を、前記医薬品を識別する医薬品識別情報に対応付けて、他の前記端末装置から取得した医薬品情報とともに記憶する記憶手段と、前記医薬品識別情報をキー情報として、記憶されている医薬品情報の読み出し要求を受け付ける読出受付手段と、読み出し要求の発信元である前記端末装置へ前記医薬品識別情報に対応付けて記憶されている医薬品情報を抽出して送信する送信手段とを備えることを特徴とする。
【００１１】
また、第２発明に係る医薬品情報収集装置は、第１発明において、前記医薬品情報は、ジェネリック医薬品に関する情報であることが好ましい。
【００１２】
また、第３発明に係る医薬品情報収集装置は、第１又は第２発明において、前記取得手段は、医薬品の添付文書に記載されている副作用に関する情報を取得し、前記送信手段は、読み出し要求を受け付けた前記端末装置へ、前記医薬品の添付文書に記載されている副作用に関する情報を、そのまま送信することが好ましい。
【００１３】
また、第４発明に係る医薬品情報収集装置は、第１乃至第３発明のいずれか１つにおいて、前記端末装置から医薬品情報を取得した時点で、購入金額及び指定された交換率に基づいてポイントを算出するポイント算出手段と、医薬品を購入した医療従事者が属する医療機関ごとに累計されたポイントを記憶するポイント記憶手段とを備えることが好ましい。
【００１４】
次に、上記目的を達成するために第５発明に係る医薬品情報収集方法は、医療従事者が使用する複数の端末装置とデータ通信することが可能に接続されている、医薬品に関する医薬品情報を収集して提供する医薬品情報収集装置で実行することが可能な医薬品情報収集方法であって、前記医薬品情報収集装置は、一の前記端末装置から購入した医薬品の少なくとも副作用に関する情報、効果に関する情報及び使用感に関する情報を含む医薬品情報をアンケート形式で取得する工程と、取得した医薬品情報を、前記医薬品を識別する医薬品識別情報に対応付けて、他の前記端末装置から取得した医薬品情報とともに記憶する工程と、前記医薬品識別情報をキー情報として、記憶されている医薬品情報の読み出し要求を受け付ける工程と、読み出し要求の発信元である前記端末装置へ前記医薬品識別情報に対応付けて記憶されている医薬品情報を抽出して送信する工程とを含むことを特徴とする。
【００１５】
また、第６発明に係る医薬品情報収集方法は、第５発明において、前記医薬品情報は、ジェネリック医薬品に関する情報であることが好ましい。
【００１６】
また、第７発明に係る医薬品情報収集方法は、第５又は第６発明において、前記医薬品情報収集装置は、医薬品の添付文書に記載されている副作用に関する情報を取得し、読み出し要求を受け付けた前記端末装置へ、前記医薬品の添付文書に記載されている副作用に関する情報を、そのまま送信することが好ましい。
【００１７】
また、第８発明に係る医薬品情報収集方法は、第５乃至第７発明のいずれか１つにおいて、前記医薬品情報収集装置は、前記端末装置から医薬品情報を取得した時点で、購入金額及び指定された交換率に基づいてポイントを算出する工程と、医薬品を購入した医療従事者が属する医療機関ごとに累計されたポイントを記憶する工程とを含むことが好ましい。
【００１８】
次に、上記目的を達成するために第９発明に係るコンピュータプログラムは、医療従事者が使用する複数の端末装置とデータ通信することが可能に接続されている、医薬品に関する医薬品情報を収集して提供する医薬品情報収集装置で実行することが可能なコンピュータプログラムであって、前記医薬品情報収集装置を、一の前記端末装置から購入した医薬品の少なくとも副作用に関する情報、効果に関する情報及び使用感に関する情報を含む医薬品情報をアンケート形式で取得する取得手段、取得した医薬品情報を、前記医薬品を識別する医薬品識別情報に対応付けて、他の前記端末装置から取得した医薬品情報とともに記憶する記憶手段、前記医薬品識別情報をキー情報として、記憶されている医薬品情報の読み出し要求を受け付ける読出受付手段、及び読み出し要求の発信元である前記端末装置へ前記医薬品識別情報に対応付けて記憶されている医薬品情報を抽出して送信する送信手段として機能させることを特徴とする。
【００１９】
また、第１０発明に係るコンピュータプログラムは、第９発明において、前記医薬品情報は、ジェネリック医薬品に関する情報であることが好ましい。
【００２０】
また、第１１発明に係るコンピュータプログラムは、第９又は第１０発明において、前記取得手段を、医薬品の添付文書に記載されている副作用に関する情報を取得する手段として機能させ、前記送信手段を、読み出し要求を受け付けた前記端末装置へ、前記医薬品の添付文書に記載されている副作用に関する情報を、そのまま送信する手段として機能させることが好ましい。
【００２１】
また、第１２発明に係るコンピュータプログラムは、第９乃至第１１発明のいずれか１つにおいて、前記医薬品情報収集装置を、前記端末装置から医薬品情報を取得した時点で、購入金額及び指定された交換率に基づいてポイントを算出するポイント算出手段、及び医薬品を購入した医療従事者が属する医療機関ごとに累計されたポイントを記憶するポイント記憶手段として機能させることが好ましい。
【００２２】
第１発明、第５発明及び第９発明では、医薬品情報収集装置は、一の端末装置から購入した医薬品の少なくとも副作用に関する情報、効果に関する情報及び使用感に関する情報を含む医薬品情報をアンケート形式で取得する。取得した医薬品情報を、医薬品を識別する医薬品識別情報に対応付けて、他の端末装置から取得した医薬品情報とともに記憶しておく。医薬品識別情報をキー情報として、記憶されている医薬品情報の読み出し要求を受け付け、読み出し要求の発信元である端末装置へ医薬品識別情報に対応付けて記憶されている医薬品情報を抽出して送信する。これにより、医薬品情報のうちで比較的情報量が少なく、情報の正確度が低い副作用に関する情報、効果に関する情報及び使用感に関する情報を、実際に使用した体験に基づく情報として収集することができ、医薬品を選択する立場である医療従事者へ正しい情報を提供することが可能となる。
【００２３】
第２発明、第６発明及び第１０発明では、医薬品情報は、ジェネリック医薬品に関する情報であるので、特に情報が少ないジェネリック医薬品の副作用に関する情報、効果に関する情報及び使用感に関する情報を実際に使用した体験に基づく情報として収集することができ、ジェネリック医薬品を選択する立場である医療従事者へ正しい情報を提供することが可能となる。
【００２４】
第３発明、第７発明及び第１１発明では、医薬品情報収集装置は、医薬品の添付文書に記載されている副作用に関する情報を取得し、読み出し要求を受け付けた端末装置へ、医薬品の添付文書に記載されている副作用に関する情報を、そのまま送信する。これにより、今まで医薬品を実際に購入しないと確認することができなかった添付文書に記載されている副作用に関する情報を抜けなく確認することができ、医薬品の購入時に誤った選択をすることを回避することが可能となる。
【００２５】
第４発明、第８発明及び第１２発明では、医薬品情報収集装置は、端末装置から医薬品情報を取得した時点で、購入金額及び指定された交換率に基づいてポイントを算出し、医薬品を購入した医療従事者が属する医療機関ごとに累計されたポイントを記憶する。これにより、記憶されているポイントに基づいて様々なサービスを医療従事者に提供することができ、アンケート形式での情報収集を効果的に促進することが可能となる。
【発明の効果】
【００２６】
本発明によれば、医薬品情報のうちで比較的情報量が少なく、情報の正確度が低い副作用に関する情報、効果に関する情報及び使用感に関する情報を、実際に使用した体験に基づく情報として収集することができ、医薬品を選択する立場である医療従事者へ正しい情報を提供することが可能となる。特に情報が少ないジェネリック医薬品の副作用に関する情報、効果に関する情報及び使用感に関する情報を実際に使用した体験に基づく情報として収集することができるので、状況に応じて適切なジェネリック医薬品を選択することが可能となる。
【図面の簡単な説明】
【００２７】
【図１】本発明の実施の形態１に係る医薬品情報収集装置を用いた医薬品情報収集システムの構成を模式的に示すブロック図である。
【図２】本発明の実施の形態１に係る医薬品情報収集装置の構成を示すブロック図である。
【図３】本発明の実施の形態１に係る医薬品情報収集装置の機能ブロック図である。
【図４】本発明の実施の形態１に係る医薬品情報収集装置が提供する、端末装置でのジェネリック医薬品の副作用に関する情報を収集するアンケート画面の例示図である。
【図５】本発明の実施の形態１に係る医薬品情報収集装置が提供する、端末装置でのジェネリック医薬品の効果に関する情報を収集するアンケート画面の例示図である。
【図６】本発明の実施の形態１に係る医薬品情報収集装置が提供する、端末装置でのジェネリック医薬品の使用感に関する情報を収集するアンケート画面の例示図である。
【図７】本発明の実施の形態１に係る医薬品情報収集装置のＣＰＵの処理手順を示すフローチャートである。
【図８】本発明の実施の形態１に係る医薬品情報収集装置が提供する、端末装置での医薬品情報確認画面の例示図である。
【図９】本発明の実施の形態１に係る医薬品情報収集装置が提供する、端末装置での送信前の医薬品情報を表示する表示画面の例示図である。
【図１０】本発明の実施の形態２に係る医薬品情報収集装置の機能ブロック図である。
【図１１】本発明の実施の形態２に係る医薬品情報収集装置が提供する、端末装置でのポイント蓄積確認画面の例示図である。
【図１２】本発明の実施の形態２に係る医薬品情報収集装置が提供する、端末装置でのポイント交換画面の例示図である。
【図１３】本発明の実施の形態２に係る医薬品情報収集装置が提供する、端末装置でのポイント交換確定画面の例示図である。
【図１４】本発明の実施の形態２に係る医薬品情報収集装置のＣＰＵの処理手順を示すフローチャートである。
【図１５】本発明の実施の形態に係る医薬品情報収集装置が提供する、端末装置での解析結果の表示画面の例示図である。
【発明を実施するための形態】
【００２８】
以下、本発明の実施の形態に係る医薬品情報収集装置について、図面に基づいて具体的に説明する。以下の実施の形態は、特許請求の範囲に記載された発明を限定するものではなく、実施の形態の中で説明されている特徴的事項の組み合わせの全てが解決手段の必須事項であるとは限らないことは言うまでもない。
【００２９】
また、本発明は多くの異なる態様にて実施することが可能であり、実施の形態の記載内容に限定して解釈されるべきものではない。実施の形態を通じて同じ要素には同一の符号を付している。
【００３０】
以下の実施の形態では、コンピュータシステムにコンピュータプログラムを導入した装置について説明するが、当業者であれば明らかな通り、本発明はその一部をコンピュータで実行することが可能なコンピュータプログラムとして実施することができる。したがって、本発明は、実際に使用した体験に基づいた医薬品情報を収集して広く拡散する医薬品情報収集装置というハードウェアとしての実施の形態、ソフトウェアとしての実施の形態、又はソフトウェアとハードウェアとの組み合わせの実施の形態をとることができる。コンピュータプログラムは、ハードディスク、ＤＶＤ、ＣＤ、光記憶装置、磁気記憶装置等の任意のコンピュータで読み取ることが可能な記録媒体に記録することができる。
【００３１】
なお、本明細書において、「医療従事者」とは、医師、薬剤師、その他の医療機関に属するすべてのメンバーを意味している。また、「医薬品情報」とは、医薬品の副作用に関する情報、効果に関する情報及び使用感に関する情報の他にも、例えば剤形に関する情報、包装に関する情報等も含む。医薬品とは、市販後情報がまだまだ不足しがちなジェネリック医薬品、ＯＴＣ医薬品等を含む。
【００３２】
（実施の形態１）
図１は、本発明の実施の形態１に係る医薬品情報収集装置を用いた医薬品情報収集システムの構成を模式的に示すブロック図である。本発明の実施の形態１に係る医薬品情報収集システムにおいて、医薬品情報収集装置１は、サーバとして機能し、ネットワーク網２を介して、医療従事者が使用する複数の端末装置３とデータ通信することが可能に接続されている。医薬品に関する医薬品情報を収集するためのアンケート画面等のフォームは、医薬品情報収集装置１から各端末装置３へ配信され、医薬品情報収集装置１は、アンケート画面から入力を受け付けた医薬品情報を各端末装置３から受信（取得）する。
【００３３】
図２は、本発明の実施の形態１に係る医薬品情報収集装置１の構成を示すブロック図である。本実施の形態１に係る医薬品情報収集装置１は、少なくともＣＰＵ（中央演算装置）１１、メモリ１２、記憶装置１３、Ｉ／Ｏインタフェース１４、ビデオインタフェース１５、可搬型ディスクドライブ１６、通信インタフェース１７及び上述したハードウェアを接続する内部バス１８で構成されている。
【００３４】
ＣＰＵ１１は、内部バス１８を介して医薬品情報収集装置１の上述したようなハードウェア各部と接続されており、上述したハードウェア各部の動作を制御するとともに、記憶装置１３に記憶されたコンピュータプログラム１００に従って、種々のソフトウェア的機能を実行する。メモリ１２は、ＳＲＡＭ、ＳＤＲＡＭ等の揮発性メモリで構成され、コンピュータプログラム１００の実行時にロードモジュールが展開され、コンピュータプログラム１００の実行時に発生する一時的なデータ等を記憶する。
【００３５】
記憶装置１３は、内蔵される固定型記憶装置（ハードディスク）、ＲＯＭ等で構成されている。記憶装置１３に記憶されたコンピュータプログラム１００は、プログラム及びデータ等の情報を記録したＤＶＤ、ＣＤ−ＲＯＭ等の可搬型記録媒体９０から、可搬型ディスクドライブ１６によりダウンロードされ、実行時には記憶装置１３からメモリ１２へ展開して実行される。もちろん、通信インタフェース１７を介して接続されている外部コンピュータからダウンロードされたコンピュータプログラムであっても良い。
【００３６】
記憶装置１３は、医薬品、特にジェネリック医薬品の副作用に関する情報、効果に関する情報及び使用感に関する情報を少なくとも含む医薬品情報を記憶する。副作用に関する情報としては、医薬品の添付文書に基づいて情報を収集して記憶し、その他の副作用についても収集して記憶できるようになっている。
【００３７】
効果に関する情報としては、例えば「効果が弱い」及び「効果が強い」と入力された件数をそれぞれ記憶する。使用感に関する情報としては、例えば「服用しやすい」及び「服用しにくい」と入力された件数をそれぞれ記憶する。もちろん、各情報とも上述した情報に限定されるものではない。
【００３８】
通信インタフェース１７は内部バス１８に接続されており、インターネット、ＬＡＮ、ＷＡＮ等の外部のネットワーク網２に接続されることにより、端末装置３等とデータ通信を行うことが可能となっている。本実施の形態１では、端末装置３にブラウザをインストールしておき、インターネット経由で医薬品情報収集装置１とデータ通信する。
【００３９】
Ｉ／Ｏインタフェース１４は、キーボード２１、マウス２２等の入力装置と接続され、医薬品の設定情報、医薬品の更新情報等の入力を受け付ける。ビデオインタフェース１５は、ＣＲＴディスプレイ、液晶ディスプレイ等の表示装置２３と接続され、アンケート入力画面の設定や更新、医薬品に関する情報の設定や更新に伴う所定の画像を表示する。
【００４０】
なお、図１に示すように、医薬品情報収集装置１の動作を制御するサーバ管理用端末３ａをネットワーク網２に接続しておいても良い。この場合、医薬品情報収集装置１にインストールするべきコンピュータプログラムもサーバ管理用端末３ａからダウンロードすることができ、収集した医薬品情報や医薬品情報の解析結果等を表示することもできる。また、収集した医薬品情報の解析には、別途外部のコンピュータ、例えば分析装置を用いても良い。
【００４１】
図３は、本発明の実施の形態１に係る医薬品情報収集装置１の機能ブロック図である。なお、以下の説明において、画面の例示図等はジェネリック医薬品を例に挙げて説明する。図３において、医薬品情報収集装置１のアンケート情報取得部（取得手段）３０１は、医療従事者が使用する一の端末装置３から、少なくとも使用する医療従事者が実際に購入した医薬品の副作用に関する情報、該医薬品の効果に関する情報及び該医薬品の使用感に関する情報を含む医薬品情報をアンケート画面からの入力として取得する。
【００４２】
具体的には、端末装置３のブラウザにアンケート画面を表示し、端末装置３で医療従事者がアンケートに回答する形で入力する。入力された医薬品情報は、医薬品情報収集装置１へ送信され、医薬品情報記憶部３０２により記憶装置１３に記憶される。
【００４３】
図４は、本発明の実施の形態１に係る医薬品情報収集装置１が提供する、端末装置３でのジェネリック医薬品の副作用に関する情報を収集するアンケート画面の例示図である。図４に示すように、選択を受け付けた医薬品Ａについて、副作用として「徐脈、心不全、心胸比増大、房室ブロック、洞房ブロック、失神を伴う起立性低血圧」が生じた件数、「呼吸困難、気管支痙攣、喘鳴」が生じた件数、「血小板減少症、紫斑病」が生じた件数の入力を、それぞれ入力領域４１、４２、４３で受け付けることが可能となっている。また、その他の副作用が生じた場合であっても、例外的な副作用の入力領域４４で、生じた件数の入力を受け付けることができる。
【００４４】
医薬品情報収集装置１の管理者は、特に例外的な副作用が生じた件数の入力を受け付けた場合、入力者に連絡を取って、さらに詳細な情報を取得することが好ましい。これにより、例外的な副作用について、より詳細な情報を収集して記憶することができるからである。
【００４５】
図５は、本発明の実施の形態１に係る医薬品情報収集装置１が提供する、端末装置３でのジェネリック医薬品の効果に関する情報を収集するアンケート画面の例示図である。図５に示すように、選択を受け付けた医薬品Ａについて、効果の強弱として「効果が弱い」と感じた件数及び「効果が強い」と感じた件数の入力を、それぞれ入力領域５１、５２で受け付けることが可能となっている。図５には図示していないが、もちろん付随的な効果の入力を受け付けることができるようにしても良い。
【００４６】
図６は、本発明の実施の形態１に係る医薬品情報収集装置１が提供する、端末装置３でのジェネリック医薬品の使用感に関する情報を収集するアンケート画面の例示図である。図６に示すように、選択を受け付けた医薬品Ａについて、使用感として「服用しやすい」と感じた件数及び「服用しにくい」と感じた件数の入力を、それぞれ入力領域６１、６２で受け付けることが可能となっている。図６には図示していないが、もちろんその他の使用感についての入力を受け付けることができるようにしても良い。
【００４７】
図３に戻って、医薬品情報記憶部（記憶手段）３０２は、アンケート情報取得部３０１で取得した医薬品情報を、医薬品を識別する医薬品識別情報（医薬品ＩＤ）に対応付けて、他の端末装置３から取得した医薬品情報とともに記憶装置１３に記憶する。なお、端末装置３に表示されたアンケート画面から入力した医療従事者を識別する医療従事者識別情報（医療従事者ＩＤ）、及び／又はアンケート画面から入力した医療従事者が属する医療機関を識別する医療機関識別情報（医療機関ＩＤ）についても、医薬品ＩＤとともに対応付けて記憶する。これにより、医薬品を購入した医療機関ごとに、後述するポイントによる各種のサービスを提供することができる。
【００４８】
情報読出受付部（読出受付手段）３０３は、医薬品ＩＤをキー情報として、記憶装置１３に記憶されている医薬品情報の読み出し要求を受け付ける。情報送信部（送信手段）３０４は、医薬品ＩＤに対応付けて記憶されている医薬品情報を抽出して、読み出し要求の送信元である端末装置３へ送信する。読み出し要求は、医療従事者が使用する各端末装置３からであっても良いし、医療従事者が属する医療機関のサーバ管理用端末３ａからであっても良い。
【００４９】
なお、医薬品情報は、必ずしも医薬品ＩＤに対応付けて記憶する必要はなく、例えば医薬品名、効能効果、対象疾患、医薬品分類名（抗生剤、抗がん剤等）等と対応付けて記憶しておいても良い。
【００５０】
なお、アンケート情報取得部３０１において、購入した医薬品の添付文書に記載されている副作用に関する情報をそのまま取得しても良い。副作用について添付文書に記載されている情報もデータベース化することができ、例えば医療行為中に添付文書が表示されるように設定することで、実際の医薬品を手に取って確認する必要がなく、誤った処方を未然に回避することができるからである。この場合、情報送信部３０４は、読み出し要求を受け付けた端末装置３に対して、医薬品の添付文書に記載されている副作用に関する情報についても、そのまま送信すれば良い。
【００５１】
図７は、本発明の実施の形態１に係る医薬品情報収集装置１のＣＰＵ１１の処理手順を示すフローチャートである。図７に示すように、本実施の形態１に係る医薬品情報収集装置１のＣＰＵ１１は、一の端末装置３から購入した医薬品の少なくとも副作用に関する情報、効果に関する情報及び使用感に関する情報を含む医薬品情報を受信する（ステップＳ７０１）。
【００５２】
ＣＰＵ１１は、受信した医薬品情報を、医薬品を識別する医薬品識別情報（医薬品ＩＤ）に対応付けて、他の端末装置３から取得した医薬品情報とともに記憶装置１３に記憶する（ステップＳ７０２）。もちろん、端末装置３に表示されたアンケート画面から入力した医療従事者を識別する医療従事者識別情報（医療従事者ＩＤ）、及び／又はアンケート画面から入力した医療従事者が属する医療機関を識別する医療機関識別情報（医療機関ＩＤ）についても、医薬品ＩＤとともに対応付けて記憶する。
【００５３】
ＣＰＵ１１は、医薬品識別情報（医薬品ＩＤ）をキー情報として、記憶装置１３に記憶されている医薬品情報について読み出し要求を受け付ける（ステップＳ７０３）。ＣＰＵ１１は、読み出し要求に対応する医薬品情報を抽出して（ステップＳ７０４）、読み出し要求の送信元である端末装置３へ送信する（ステップＳ７０５）。もちろん、サーバ管理用端末３ａが読み出し要求の送信元であっても良い。
【００５４】
図８は、本発明の実施の形態１に係る医薬品情報収集装置１が提供する、端末装置３での医薬品情報確認画面の例示図である。医療従事者が属する医療機関が購入した医薬品の名称が一覧表示されている。
【００５５】
医療従事者は、アンケートの結果として医薬品情報収集装置１へ送信する医薬品情報を閲覧したい医薬品名を選択することで、送信前の医薬品情報を閲覧することができる。具体的には、それぞれの医薬品について、３種類のボタンが設定されている。
【００５６】
まだ、アンケート画面から入力がなされておらず、医薬品情報の入力を受け付けていない医薬品については「報告する」ボタン８１が配置されている。「報告する」ボタン８１が選択された場合、図４〜図６の入力画面へと遷移する。「修正する」ボタン８２が選択された場合も、図４〜図６の入力画面へと遷移するが、既に入力を受け付けている情報も同時に表示されている。
【００５７】
「回答を見る」ボタン８３が選択された場合、アンケート画面を介して収集された、送信前の医薬品情報が表示される。図９は、本発明の実施の形態１に係る医薬品情報収集装置１が提供する、端末装置３での送信前の医薬品情報を表示する表示画面の例示図である。
【００５８】
図９の例では、「回答を見る」ボタン８３ａが選択された「医薬品Ｂ」について医薬品情報が表示されている。具体的には、「医薬品Ｂ」について、アンケート画面から入力を受け付けた項目について、件数の累計数を表示している。これにより、副作用、効果及び使用感について、前回の医薬品情報の送信から今までの間にどのような報告があったのかを目視で確認することができる。
【００５９】
以上のように本実施の形態１によれば、医薬品情報のうちで比較的情報量が少なく、情報の正確度が低い副作用に関する情報、効果に関する情報及び使用感に関する情報を、実際に使用した体験に基づく情報として収集することができ、医薬品を選択する立場である医療従事者へ正しい情報を提供することが可能となる。特に情報が少ないジェネリック医薬品の副作用に関する情報、効果に関する情報及び使用感に関する情報を実際に使用した体験に基づく情報として収集することができるので、状況に応じて適切なジェネリック医薬品を選択（処方）することが可能となる。
【００６０】
なお、アンケート画面から医薬品情報を収集するタイミングについては、特に限定されるものではない。例えば月１回の定期的なメールを医薬品の購入者である医療従事者の端末装置３へ送信する。本メールに、アンケート画面のＵＲＬを記載することで、医療従事者が容易に医薬品情報を入力することができる。
【００６１】
もちろん、想定していないその他の副作用に関する情報等もアンケート画面から入力しても良い。ただし、正確さが問われる情報であることから、医薬品情報収集装置１の管理者が電話連絡等による聞き取り等を行うことが好ましい。
【００６２】
また、緊急を要する副作用等が発生した場合には、定期的なメールを待つことなく、医療従事者からアンケート画面の送信要求を送信しても良い。これにより、随時医薬品情報を収集することが可能となる。
【００６３】
（実施の形態２）
本発明の実施の形態２に係る医薬品情報収集装置１を用いた医薬品情報収集システムの構成及び医薬品情報収集装置１の構成は、実施の形態１と同様であることから、同一の符号を付することにより詳細な説明は省略する。本実施の形態２では、アンケート画面から医薬品情報を入力する都度ポイントが付与され、医療従事者ごとに累計される点で実施の形態１とは相違する。
【００６４】
図１０は、本発明の実施の形態２に係る医薬品情報収集装置１の機能ブロック図である。なお、以下の説明において、画面の例示図等はジェネリック医薬品を例に挙げて説明する。図１０において、医薬品情報収集装置１のアンケート情報取得部（取得手段）３０１は、医療従事者が使用する一の端末装置３から、少なくとも使用する医療従事者が実際に購入した医薬品の副作用に関する情報、該医薬品の効果に関する情報及び該医薬品の使用感に関する情報を含む医薬品情報をアンケート画面からの入力として取得する。
【００６５】
具体的には、端末装置３のブラウザにアンケート画面を表示し、端末装置３で医療従事者がアンケートに回答する形で入力する。入力された医薬品情報は、医薬品情報収集装置１へ送信され、医薬品情報記憶部３０２により記憶装置１３に記憶される。アンケート画面は、実施の形態１と同様であるので説明は省略する。
【００６６】
医薬品情報記憶部（記憶手段）３０２は、アンケート情報取得部３０１で取得した医薬品情報を、医薬品を識別する医薬品識別情報（医薬品ＩＤ）に対応付けて、他の端末装置３から取得した医薬品情報とともに記憶装置１３に記憶する。なお、端末装置３に表示されたアンケート画面から入力した医療従事者を識別する医療従事者識別情報（医療従事者ＩＤ）、及び／又はアンケート画面から入力した医療従事者が属する医療機関を識別する医療機関識別情報（医療機関ＩＤ）についても、医薬品ＩＤとともに対応付けて記憶する。これにより、医薬品を購入した医療機関ごとに、後述するポイントによる各種のサービスを提供することができる。
【００６７】
ポイント算出部３０５は、アンケート情報取得部３０１で端末装置３から医薬品情報を取得した時点で、購入金額及び指定された交換率に基づいてポイントを算出する。例えば購入金額が一定額以上であれば交換率を高くする等の工夫をすることにより、医薬品の購入意欲を促進することができる。ポイントは、金銭に換算されるものではなく、あくまでも医薬品情報提供者のサービスの充実に使用される。例えばアマゾンポイントやＡＮＡマイルポイント等への交換、図書カード等のギフトカードへの交換ができる。
【００６８】
ポイント記憶部３０６は、医薬品を購入した医療従事者が属する医療機関ごとに累計されたポイントを記憶装置１３に記憶する。累計された累計ポイントに応じて、医療機関に対して各種のサービスを提供することができる。
【００６９】
情報読出受付部（読出受付手段）３０３は、医薬品ＩＤをキー情報として、記憶されている医薬品情報の端末装置３からの読み出し要求を受け付ける。情報送信部（送信手段）３０４は、医薬品ＩＤに対応付けて記憶されている医薬品情報を抽出して、読み出し要求の送信元である端末装置３へ送信する。
【００７０】
ポイント交換要求受付部３０７は、記憶されている累計ポイントのうち、端末装置３からポイントの交換を要求するポイント交換要求を受け付ける。ポイント交換要求には、少なくとも医療従事者識別情報（医療従事者ＩＤ）、ポイントを交換する項目、必要なポイントが含まれる。サービス提供部３０８は、ポイント交換要求の可否を判断し、ポイント交換が可能な場合には所定のサービスを提供する。医療従事者ＩＤがわかれば、属している医療機関ＩＤがわかるので、医療機関ごとに各種のサービスを提供することができる。もちろん、直接医療機関ＩＤを用いても良い。
【００７１】
図１１は、本発明の実施の形態２に係る医薬品情報収集装置１が提供する、端末装置３でのポイント蓄積確認画面の例示図である。蓄積ポイント表示領域１１１にて、ポイント蓄積確認画面が表示された時点で蓄積されているポイントが表示される。ポイントは医療従事者ＩＤごとに累計して蓄積されているが、特にこれに限定されるものではなく、医療従事者が属する医療機関ごとに累計して蓄積しても良い。
【００７２】
ポイントの発生、ポイントの消費等に関するポイント履歴は、ポイント履歴表示領域１１２に表示される。図１１の例では、アンケート画面の入力（アンケート回答）によるポイントの発生、及びサービスの提供によるポイントの消費の内容が、増減するポイント及び操作した医療従事者（操作ユーザ）とともに表示されている。
【００７３】
図１２は、本発明の実施の形態２に係る医薬品情報収集装置１が提供する、端末装置３でのポイント交換画面の例示図である。ポイント交換サービス表示領域１２１にて、ポイントにより交換可能なサービスを、消費するポイント数とともに一覧表示している。医療従事者は、ポイント交換指定領域１２２にて、交換するサービスの希望数を入力して、サービスの提供を受ける。
【００７４】
図１３は、本発明の実施の形態２に係る医薬品情報収集装置１が提供する、端末装置３でのポイント交換確定画面の例示図である。ポイントと交換するサービスが確定した時点で、使用ポイント表示領域１３１に、使用されたポイントが表示される。
【００７５】
なお、蓄積された蓄積ポイントの範囲内でサービスを指定すれば足りるが、蓄積ポイントを超えてサービスを指定した場合、医薬品情報収集装置１のサービス提供部３０８で判断して、エラーメッセージを表示しても良い。これにより、蓄積ポイントの範囲内でサービスの提供を受けることができる。
【００７６】
サービスを提供するポイントについても、医薬品の購入金額に基づいて変動させても良い。例えば、複数段階の交換ポイント設定をしておき、医薬品の購入金額が多いほど、サービスを提供する交換ポイントが低くなるようにする。これにより、医薬品の購入及びアンケート画面からの入力を促進することができる。
【００７７】
図１４は、本発明の実施の形態２に係る医薬品情報収集装置１のＣＰＵ１１の処理手順を示すフローチャートである。図１４に示すように、本実施の形態２に係る医薬品情報収集装置１のＣＰＵ１１は、一の端末装置３から購入した医薬品の少なくとも副作用に関する情報、効果に関する情報及び使用感に関する情報を含む医薬品情報を受信する（ステップＳ１４０１）。
【００７８】
ＣＰＵ１１は、受信した医薬品情報を、医薬品を識別する医薬品識別情報（医薬品ＩＤ）に対応付けて、他の端末装置３から取得した医薬品情報とともに記憶装置１３に記憶する（ステップＳ１４０２）。なお、端末装置３に表示されたアンケート画面から入力した医療従事者を識別する医療従事者識別情報（医療従事者ＩＤ）、及び／又はアンケート画面から入力した医療従事者が属する医療機関を識別する医療機関識別情報（医療機関ＩＤ）についても、医薬品ＩＤとともに対応付けて記憶する。
【００７９】
ＣＰＵ１１は、医薬品情報を受信（取得）した時点で、購入金額及び指定された交換率に基づいてポイントを算出する（ステップＳ１４０３）。例えば購入金額が一定額以上であれば交換率を高くする等の工夫をすることにより、医薬品の購入意欲を促進することができる。ポイントは、金銭に換算されるものではなく、あくまでも医薬品情報提供者のサービスの充実に使用される。例えばアマゾンポイントやＡＮＡマイルポイント等への換算、図書カード等のギフトカードへの交換等ができる。
【００８０】
ＣＰＵ１１は、医薬品を購入した医療従事者ごとに累計されたポイントを、医療従事者識別情報（医療従事者ＩＤ）に対応付けて記憶装置１３に記憶する（ステップＳ１４０４）。累計されたポイントに応じて、各種のサービスの提供を受けることができる。
【００８１】
ＣＰＵ１１は、医療従事者ＩＤ又は医療従事者が属する医療機関ＩＤをキー情報として、対応付けて記憶されているポイントの交換要求を受け付ける（ステップＳ１４０５）。ＣＰＵ１１は、交換要求に対応するポイントが蓄積されているポイントを超えているか否かを判断する（ステップＳ１４０６）。
【００８２】
ＣＰＵ１１が、交換要求に対応するポイントが蓄積されているポイントを超えていると判断した場合（ステップＳ１４０６：ＹＥＳ）、ＣＰＵ１１は、エラーメッセージを端末装置３へ送信し（ステップＳ１４０７）、処理をステップＳ１４０５へ戻して、再度のポイントの交換要求待ち状態となる。ＣＰＵ１１が、交換要求に対応するポイントが蓄積されているポイント以下であると判断した場合（ステップＳ１４０６：ＮＯ）、ＣＰＵ１１は、対応するポイントで蓄積ポイントを更新し（ステップＳ１４０８）、所定のサービスを提供する（ステップＳ１４０９）。
【００８３】
以上のように本実施の形態２によれば、医薬品情報として、副作用に関する情報、効果に関する情報及び使用感に関する情報を、実際に使用した体験に基づく情報として入力することで、医療機関ごとにポイントによる各種のサービスの提供を受けることができるので、アンケート画面からの入力に一定のインセンティブが働きやすくなり、より確かな情報を数多く収集することが可能となる。
【００８４】
なお、本発明は上記実施例に限定されるものではなく、本発明の趣旨の範囲内であれば多種の変更、改良等が可能である。例えば上述した実施の形態では、すべて医薬品情報収集装置１からアンケート画面を提供しているが、端末装置３にそれぞれアンケート画面を記憶しておいても良い。医療従事者ごとに使用する端末装置３が特定されている場合、端末装置３に蓄積ポイントを記憶しておくことで、端末装置３で交換ポイントが蓄積ポイントを超えているか否かを判断することができる。
【００８５】
また、収集された医薬品情報は一種のビッグデータとなりうるので、解析することにより様々な項目の傾向を把握することが可能となる。そして、解析結果を端末装置３で表示できるようにしても良い。例えば、同一の成分のジェネリック医薬品について、複数の製薬会社の製品について副作用の発生状況、効果や使用感の違い等を比較することができる。
【００８６】
同一成分で製薬会社が相違する医薬品Ａ、Ｂ、Ｃについて、副作用について解析する簡単な例を説明する。医薬品の販売個数は、売上高から錠数単位で算出できる。そして、アンケート画面からの入力の累計に基づいて、副作用が生じた件数（錠数）を求めることができる。
【００８７】
図１５は、本発明の実施の形態に係る医薬品情報収集装置１が提供する、端末装置３での解析結果の表示画面の例示図である。図１５（ａ）は、副作用に関する情報の一例を示す表であり、図１５（ｂ）は、解析結果表示画面の一例である。
【００８８】
図１５（ａ）に示すように、アンケート画面から取得した副作用が生じた件数及び収集した医薬品の購入錠数に基づいて、医薬品それぞれの発生頻度を算出している。そして、所定の閾値に基づいて、評価「優」、「良」、「可」に分類している。
【００８９】
同様の作業を、効果に関する情報及び使用感に関する情報についても実行する。効果に関する情報及び使用感に関する情報については、所定の閾値に基づいて、評価「優」、「良」に分類すれば足りる。
【００９０】
図１５（ｂ）では、求められた評価を、医薬品ごとに一覧表示している。医薬品ごとに評価がわかるので、適切な医薬品を選択することが可能となる。
【符号の説明】
【００９１】
１  医薬品情報収集装置
１１  ＣＰＵ
１２  メモリ
１３  記憶装置
１４  Ｉ／Ｏインタフェース
１５  ビデオインタフェース
１６  可搬型ディスクドライブ
１７  通信インタフェース
１８  内部バス
９０  可搬型記録媒体
１００  コンピュータプログラム
【図１】
2018206284.tif 000003
【図２】
2018206284.tif 000004
【図３】
2018206284.tif 000005
【図４】
2018206284.tif 000006
【図５】
2018206284.tif 000007
【図６】
2018206284.tif 000008
【図７】
2018206284.tif 000009
【図８】
2018206284.tif 000010
【図９】
2018206284.tif 000011
【図１０】
2018206284.tif 000012
【図１１】
2018206284.tif 000013
【図１２】
2018206284.tif 000014
【図１３】
2018206284.tif 000015
【図１４】
2018206284.tif 000016
【図１５】
2018206284.tif 000017